(57)【要約】  本発明は、画像のシーケンスを表示するカラー液晶ディスプレイ（１０２）を適応的に駆動するシステム（１００）に関する。システム（１００）は、ディスプレイ（１０２）における各画素に対して駆動電圧を供給する駆動エレクトロニクス（１０６）と、前記ディスプレイ（１０２）に現在表示されている、前記画像のシーケンスの第１の画像を記憶するフレームメモリ（１１６）とを有する。加えて、システム（１００）は、フレームメモリ（１１６）内の前記第１の画像と、ディスプレイ（１０２）に表示されるべき次の画像とに基づいて駆動エレクトロニクス（１０６）に対する事前書き込み信号（１０８）を生成するルックアップテーブル（１１０）を有する。
2007526516.tif 000002
【特許請求の範囲】
【請求項１】
画像のシーケンスを表示するカラー液晶ディスプレイを適応的に駆動するシステムであって、前記ディスプレイにおける各画素に対して駆動電圧を供給する駆動エレクトロニクスを有するシステムにおいて、前記ディスプレイに現在表示されている、前記画像のシーケンスの第１の画像を記憶するフレームメモリと、前記フレームメモリ内の前記第１の画像及び前記ディスプレイに表示されるべき次の画像に基づいて前記駆動エレクトロニクスに対する事前書き込み信号を生成するルックアップテーブルとを更に有するシステム。
【請求項２】
前記ルックアップテーブルが、前記第１の画像の画素電圧と前記ディスプレイに表示されるべき前記次の画像の画素電圧との間の差に基づいて前記駆動エレクトロニクスに対する事前書き込み信号を生成するように動作する、請求項１に記載のシステム。
【請求項３】
前記ルックアップテーブルが、所定の書き込み信号の一般的なマトリクスを有し、前記第１の画像の画素電圧と前記ディスプレイに表示されるべき前記次の画像の画素電圧とに基づいて前記所定の事前書き込み信号から１つの事前書き込み信号を選択するように動作し、前記所定の事前書き込み信号を前記駆動エレクトロニクスに通信するように動作する、請求項１に記載のシステム。
【請求項４】
前記駆動エレクトロニクスが、前記第１の画像により前記ＬＣＤパネル内の画素に対する駆動電圧を生成した後に、前記ＬＣＤパネル内の画素に対してバックグラウンド駆動電圧信号を生成するように動作する、請求項１ないし３のいずれか一項に記載のシステム。
【請求項５】
前記ルックアップテーブルが、前記第１の画像及び前記次の画像における選択された画素の画素電圧に基づいて前記事前書き込み信号を生成するように構成される、請求項１ないし３のいずれか一項に記載のシステム。
【請求項６】
前記選択された数の画素が、前記第１の画像及び前記次の画像における１ラインの画素を有する、請求項５に記載のシステム。
【請求項７】
前記所定の事前書き込み信号は、前記駆動エレクトロニクスが２０％ないし５０％の範囲内のグレイレベルにおいて画素に対してバックグラウンド駆動電圧を生成することを可能にする、請求項４に記載のシステム。
【請求項８】
前記ルックアップテーブルは、前記第１の画像の画素に対する駆動電圧と前記次の画像の画素に対する駆動電圧との間の差が負である場合に、前記駆動エレクトロニクスに対して第１の事前書き込み信号を生成するように動作し、前記差が正である場合に、前記駆動エレクトロニクスに対して第２の事前書き込み信号を生成するように動作する、請求項１に記載のシステム。
【請求項９】
前記第１の事前書き込み信号は、前記駆動エレクトロニクスが前記画素に対して短い持続時間を持つ駆動電圧を生成することを可能にし、前記第２の事前書き込み信号は、前記駆動エレクトロニクスがより長い持続時間を持つ駆動電圧を生成することを可能にする、請求項８に記載のシステム。
【発明の詳細な説明】
【技術分野】
【０００１】
本発明は、液晶ディスプレイ（ＬＣＤ）を適応的に（adaptively）駆動するシステムに関する。特に、本発明は、画素電圧コントローラに関する。
【背景技術】
【０００２】
ＬＣＤパネルを駆動する際に、白から黒への切り替えは、黒から白への切り替え（緩和）より速い。したがって、画像の系列のようなカラーの順次投影でＬＣＤパネルを駆動する場合、画素の現在の色の印加電圧が前記画素の次の色に進む切り替え速度に影響を与えるので、この切り替え性質は、カラーのクロストークを生じる。この問題を克服するために、事前書き込み（pre-write）状態又はブランキングパルス（blanking pulse）、即ち米国特許番号第ＵＳ６３２０５６５号に記載されるような、表示データによる各新しいアドレシングの前に前記画素をリセットする補助信号が使用されてもよい。前記米国特許は、前記画素が次のビデオデータを記憶する前に暗い状態又は明るい状態にリセットされるシステムを開示する。画素の行全体にリセットパルスを印加することにより、前記行が新しいビデオデータに更新されるより前に所定数の行は、リセットと更新との間の時間がセトリングタイムを超えるという条件で、事前に記憶された情報の記憶を除去する。
【０００３】
従来技術は、更新する前に暗い又は明るい状態を生成するように出力電圧で画素を駆動することにより、ビデオデータを持つシステムが、カラークロストーク又は輝度の損失の不十分な減少を提供するので、依然として、２つの色の間で各画素を駆動する際に大きな遅延を取り込む。
【発明の開示】
【発明が解決しようとする課題】
【０００４】
本発明の特定の目的は、前記ＬＣＤを適応的に駆動するシステムを提供することであり、輝度を維持しながら画像間のカラークロストークを減少させることである。
【課題を解決するための手段】
【０００５】
本発明の特定の利点は、異なる状況に対する複数の事前書き込み電圧を有するルックアップテーブル（ＬＵＴ）の提供である。
【０００６】
上述の目的及び利点は、以下の詳細な記載から明らかになる複数の他の目的、利点及びフィーチャと一緒に、請求項１の特徴部分に記載される本発明の第１の態様により得られる。
【０００７】
他の実施例は、従属請求項２ないし９に記載される本発明の態様により得られる。
【０００８】
本発明の上述の及び追加の目的、フィーチャ及び利点は、添付図面を参照して本発明の好適な実施例の例証的かつ非限定的な詳細な説明により、より良く理解される。
【発明を実施するための最良の形態】
【０００９】
様々な実施例の以下の記載において、前記実施例の一部を形成する添付図面が参照され、前記添付図面において、本発明が実施される様々な実施例が説明の目的で示される。他の実施例が使用されることができ、構造的及び機能的変更が本発明の範囲から外れることなく行われることができると理解されるべきである。
【００１０】
図１ａは、異なる色に対して印加電圧の関数として輝度のグラフを示す。最小電圧又は閾値電圧（図１ａにおいて約１．５Ｖ）は、液晶材料から応答を得るために必要とされる。輝度は、より高い電圧（図１ａにおいて約６Ｖ）で飽和し、閾値と飽和との間で、前記輝度は、印加電圧の関数として線形に反応を示す。
【００１１】
図１ｂないし１ｅは、液晶材料のダイナミクスのグラフを示す。図１ｂは、制御信号１４により制御される白１０と暗い１２光との間で切り替わる一般的な液晶ディスプレイを示す。白１０から暗い色１２への切り替えに対する切り替え速度は、暗い色１２から白１０への切り替えに対する切り替え速度より速い。
【００１２】
図１ｃは、白１０から暗い色１２、中間１６の輝度への切り替えを示す。暗い色１２から中間色１６への切り替えに対する切り替え速度でさえ、白１２から暗い色１０への切り替えに対する切り替え速度より遅い。
【００１３】
図１ｄは、液晶ディスプレイの全ての列に対して同一である事前書き込みシーケンスを使用する白１０と暗い色１２と中間色１６との間の切り替えを示す。図１ｃに示されるように、前記事前書き込みは、領域２０により示されるカラークロストークの不十分な減少又は図１ｄにおいて領域２２として示される輝度の大きな損失を与える。
【００１４】
図１ｅは、本発明による事前書き込みシーケンスを使用する白１０と暗い色１２と中間１６輝度との間の切り替えを示す。前記事前書き込みシーケンスは、輝度の変化に適応的である。前記事前書き込みシーケンスは、前記液晶ディスプレイの画素に対する書き込み駆動電圧を有し、前記駆動電圧は、ビデオ信号のシーケンスから決定される。領域２４は、輝度の最小の損失と共に得られたクロストークの減少を示す。
【００１５】
図２は、参照番号１００により全体において指定されたＬＣＤパネルを適応的に駆動するシステムを示す。本発明の好適な実施例であるシステム１００は、観察者に対して画像を提示するＬＣＤパネル１０２を有する。ＬＣＤパネル１０２は、駆動エレクトロニクス１０６により前記ＬＣＤパネルに通信される駆動信号１０４により駆動される。駆動信号１０４は、ＬＣＤパネル１０２内の各画素に対する複数の電圧信号であり、前記画素は、一般的に行及び列に構成される。前記電圧信号は、第一に、ルックアップテーブル（ＬＵＴ）１１０により駆動エレクトロニクス１０６に通信される事前書き込み信号１０８によって、第二に、画像プロセッサのような画像生成手段から通信されるビデオ信号１１２によって駆動エレクトロニクス１０６により制御される。
【００１６】
事前書き込み信号１０８は、ＬＣＤパネル１０２内の各画素に対するバックグラウンド電圧（background voltage）を確立する。したがって、事前書き込み信号１０８は、画像のシフト、即ち画素電圧の変化が、画像間に大きなクロストーク無しで実行されることを保証する。
【００１７】
ルックアップテーブル１１０は、各画素の現在の必要とされる出力電圧と各画素の次の必要とされる出力電圧とに関する事前書き込み値のマトリクスを有する。用語“現在の”及び“次の”は、この文脈において、今の及びその後の、即ち第１の画像により画素を駆動する現在の必要とされる電圧、及び次の画像により前記画素を駆動する次の必要とされる電圧として解釈されるべきである。各画素の現在の必要とされる出力電圧は、ルックアップテーブル１１０をフレームメモリ１１６と相互接続する通信チャネル１１４を介してルックアップテーブル１１０に通信される。
【００１８】
フレームメモリ１１６は、画像間でビデオ信号をシフトするシフトレジスタとして動作する。第１のビデオ信号１１２は、フレームメモリ１１６に一時的に記憶され、次の又は第２のビデオ信号がフレームメモリ１１６において受信される場合に、第１及び第２のビデオ信号１１２は、ルックアップテーブル１１０に通信され、ルックアップテーブル１１０は、第１及び第２のビデオ信号１１２に基づいて、各画素の事前書き込み信号１０８、即ち各画素のバックグラウンド電圧の値を決定する。
【００１９】
用語“バックグラウンド電圧”は、この文脈において、前記次の画像に対してＬＣＤパネル１０２の各画素を準備する際に印加される中間電圧として解釈されるべきである。
【００２０】
したがって、本発明の好適な実施例によるシステム１００は、複数の画像を使用して、ＬＣＤパネル１０２内の各画素に対して事前書き込み値を生成する。
【００２１】
本発明の第１の実施例において、システム１００は、各画素に対する事前書き込み電圧を得るために、ＬＣＤパネル１０２上に提示された第１の画像における各画素に対する各出力電圧と、ＬＣＤパネル１０２上に提示されるべき第２の画像における各画素に対する各出力電圧とを使用する。前記第１の実施例において、前記事前書き込み電圧は、各画素に対する現在の出力電圧と、各画素に対する次の出力電圧との平均に基づく。
【００２２】
本発明の第２の実施例において、システム１００は、ＬＣＤパネル１０２に提示された第１の画像における選択された数の画素に対する各出力電圧と、ＬＣＤパネル１０２上に提示されるべき第２の画像における同じ画素に対する各出力電圧とを使用し、前記選択された画素に対する事前書き込み電圧を得る。これは、輝度の最小の損失と共に大幅に改良されたカラークロストーク減少を提供する。前記選択された数の画素は、ＬＣＤパネル１０２の特定の画素ラインであってもよい。実験は、前記数の画素に対する駆動エレクトロニクス１０６からの駆動電圧が、２０％と５０％との間の範囲におけるグレイレベルを達成する最大駆動電圧として有利に選択されることができることを示した。
【００２３】
加えて、本発明の第２の実施例によるルックアップテーブル１１０は、暗くなる画像のシーケンスに対する前記選択された画素に対する事前書き込み信号の第１のマトリクスと、明るくなる画像のシーケンスに対する前記選択された画素に対する事前書き込み信号の第２のマトリクスとを有する。このようにして、前記画素を暗い色から明るい色に変化することと、前記画素を明るい色から暗い色に変化することとの間の非線形性が補償される。
【図面の簡単な説明】
【００２４】
【図１ａ】印加電圧の関数として輝度のグラフを示す。
【図１ｂ】時間の関数として輝度のグラフを示す。
【図１ｃ】時間の関数として輝度のグラフを示す。
【図１ｄ】時間の関数として輝度のグラフを示す。
【図１ｅ】時間の関数として輝度のグラフを示す。
【図２】本発明の好適な実施例による、ＬＣＤパネルを適応的に駆動するためのシステムのブロック図を示す。
【図１ａ】
2007526516.tif 000003
【図１ｂ】
2007526516.tif 000004
【図１ｃ】
2007526516.tif 000005
【図１ｄ】
2007526516.tif 000006
【図１ｅ】
2007526516.tif 000007
【図２】
2007526516.tif 000008
【国際調査報告】
2007526516.tif 000009
2007526516.tif 000010